(57)【要約】【課題】  安定した高出力であり、人力による充電が可能である、緊急時に用いる懐中電灯を提供すること。【解決手段】  手動によるエネルギーを発生することが可能な機構を内蔵した懐中電灯であって、磁界を有する磁石と、メインハウジングと、支持システムの第１端の方及び第２端の方へ向かう前記磁石の平行移動を支持するための前記第１端及び前記第２端を有する支持システム枠であって、電荷を保存するためのコンデンサーと、発光ダイオードと、前記コンデンサー、前記発光ダイオード、前記磁石ワイヤーに接続される回路であって、この回路は、前記磁石ワイヤーの前記エネルギー供給を前記コンデンサーに保存される電荷へ変換し、前記発光ダイオードへ電力を供給するために前記コンデンサーに保存される前記電荷を供給するための回路と、からなる懐中電灯。【選択図】  図５
2006100283.tif 000002
【特許請求の範囲】
【請求項１】
手動式にエネルギを発生可能な機構を内蔵した懐中電灯であって、
該懐中電灯は、磁界を有する磁石と、
円筒形状に形成されるとともに１つの開口部を備えるメインハウジングと、
前記メインハウジングの前記開口部に隣接して噛合うキャップと、
該キャップにより、前記メインハウジングに向けて力を負荷されることにより保持される光透過可能材料と、
第１端と第２端を備え、該第１端と該第２端との間の磁石の往復移動を案内するとともに前記キャップによって、前記メインハウジング内で保持される支持システム枠と、
前記磁石が往復移動する毎に、該磁石が通過するように配されるとともに該磁石の通過に伴い該磁石の磁界によってエネルギを生ずる磁石ワイヤと、
電荷を蓄えるコンデンサと、
発光ダイオードと、
前記コンデンサ、前記発光ダイオード及び前記磁石ワイヤと接続する回路からなり、
該回路が前記磁石ワイヤのエネルギを前記コンデンサに蓄えられる電荷に変換することを特徴とする懐中電灯。
【請求項２】
Ｏリングを更に備え、
該Ｏリングが、前記光透過可能材料に隣接して配されることを特徴とする請求項１記載の懐中電灯。
【請求項３】
前記Ｏリングが前記支持システム枠に接触することを特徴とする請求項２記載の懐中電灯。
【請求項４】
前記Ｏリングが、前記メインハウジング内壁面に接触することを特徴とする請求項２記載の懐中電灯。
【請求項５】
前記Ｏリングが、前記光透過可能材料に接触することを特徴とする請求項２記載の懐中電灯。
【請求項６】
一対のダンパを備え、
該一対のダンパのうち第１ダンパは、前記支持システム枠内部且つ前記支持システム枠の第１端に配され、
前記一対のダンパのうち第２ダンパは、前記支持システム枠内部且つ前記支持システム枠の第２端に配され、
これら第１ダンパ並びに第２ダンパは、前記磁石の往復移動に伴う前記支持システム枠の第１端或いは第２端との衝撃力を吸収し、
更に、前記第１ダンパ及び前記第２ダンパが開口部を備えることを特徴とする請求項１記載の懐中電灯。
【請求項７】
前記開口部上端に湾曲部が形成されることを特徴とする請求項６記載の懐中電灯。
【請求項８】
前記開口部が一対の側壁を備えることを特徴とする請求項６記載の懐中電灯。
【請求項９】
前記ダンパが圧縮力を受けると、前記一対の側壁が折れ曲がり変形することを特徴とする請求項８記載の懐中電灯。
【請求項１０】
前記一対のダンパそれぞれが円形端部を備え、
該円形端部が前記磁石に接触することを特徴とする請求項６記載の懐中電灯。
【発明の詳細な説明】
【技術分野】
【０００１】
本発明は、安価で信頼できる光源で特にバッテリーがなく、外部に切れ目が全くない、人力で電力が供給される懐中電灯であって、光を効率的に用いるために設計された懐中電灯に関係する技術の改良に関する。
【背景技術】
【０００２】
携帯用の光源を有するライト或いは懐中電灯の生産において、チューブ状の本体に、連続して接続された多くのバッテリーが取り付けられることは既知である（特許文献１参照）。この従来の配置を備えた従来の懐中電灯の不都合な点は、一般に（１）バッテリーを交換するために蓄電池室に頻繁に定期的にアクセスしなければならないことから生じる内部及び外部の破損、及び（２）オン・オフスイッチに関連する力学的なリンケージ及び装置の前面における電球交換による外部の状態の破損である。
【０００３】
水面下での使用のために特に構成された装置の中には、連続する多数の「Ｏ」リングを遮水のために用いることができる。しかしながら、これらの構造が、蓄電池室の後部入口のように繰り返しアクセスされるポイントで使用される時、恐らく最終的には完全な遮水が行われなくなる。
【０００４】
他のステップ、例えばオン・オフスイッチを覆う柔軟な押しボタンカバーを設置することにより完全な状態を保証するために行われるが、これらカバーは、機能寿命の早い段階に於いて円形付属部品のリングでの漏洩を生じるか、その後に亀裂或いは孔が開くことによって機能が破損するかのどちらかである。
電球交換のための入口周りのシール、典型的には正面のレンズカバーであるもの、はしっかりと固定されていなければならない。
【０００５】
発電器装置を使用する照明用エネルギーの生産も知られている。ある場合には、クランク発電器にハウジングを通って延長するクランクが供給されることによって、別のハウジング流体破損の原因を作り出す。科学的に綿密な耐性を有するベアリングが湿気を排除するために供給されるか（摩擦損失に対して綿密な耐性）、或いは発電器自体が防水加工されなければならない。
発電器はそれ自体が複雑な力学的機械であり、水による損害、錆及び過度の磨耗を受ける傾向がある。
【０００６】
上記のような破損のために、非バッテリー懐中電灯は、緊急時或いは長期保存の光源として、また、特に不快な或いは湿った環境において一般に信頼性が低い。
更に、大多数の個人向けの照明製品は、照明の1ユニット当たりのエネルギー使用量を一定に保たない、白熱の（加熱フィラメント）光源を使用して操作されるので一般に非能率的である。ほとんどの発電器モデルは、長期間に渡り任意の大きな光出力を達成するために大きな手動クランク入力を要求していた。
【０００７】
【特許文献１】特開平１１−１３４９０１号公報
【発明の開示】
【発明が解決しようとする課題】
【０００８】
従って必要なものは、よりコンパクトで、人力による、しかし操作において効率的である緊急時の独立照明光源である。装置は耐衝撃性であり、比較的少数の可動部品を有し、安定した高出力であり、磨耗表面が小さな領域となるべきである懐中電灯を提供する。
【課題を解決するための手段】
【０００９】
請求項１に係る発明は、手動式にエネルギを発生可能な機構を内蔵した懐中電灯であって、該懐中電灯は、磁界を有する磁石と、円筒形状に形成されるとともに１つの開口部を備えるメインハウジングと、前記メインハウジングの前記開口部に隣接して噛合うキャップと、該キャップにより、前記メインハウジングに向けて力を負荷されることにより保持される光透過可能材料と、第１端と第２端を備え、該第１端と該第２端との間の磁石の往復移動を案内するとともに前記キャップによって、前記メインハウジング内で保持される支持システム枠と、前記磁石が往復移動する毎に、該磁石が通過するように配されるとともに該磁石の通過に伴い該磁石の磁界によってエネルギを生ずる磁石ワイヤと、電荷を蓄えるコンデンサと、発光ダイオードと、前記コンデンサ、前記発光ダイオード及び前記磁石ワイヤと接続する回路からなり、該回路が前記磁石ワイヤのエネルギを前記コンデンサに蓄えられる電荷に変換することを特徴とする懐中電灯に関する。
請求項２に係る発明は、Ｏリングを更に備え、該Ｏリングが、前記光透過可能材料に隣接して配されることを特徴とする請求項１記載の懐中電灯に関する。
請求項３に係る発明は、前記Ｏリングが前記支持システム枠に接触することを特徴とする請求項２記載の懐中電灯に関する。
請求項４に係る発明は、前記Ｏリングが、前記メインハウジング内壁面に接触することを特徴とする請求項２記載の懐中電灯に関する。
請求項５に係る発明は、前記Ｏリングが、前記光透過可能材料に接触することを特徴とする請求項２記載の懐中電灯に関する。
請求項６に係る発明は、一対のダンパを備え、該一対のダンパのうち第１ダンパは、前記支持システム枠内部且つ前記支持システム枠の第１端に配され、前記一対のダンパのうち第２ダンパは、前記支持システム枠内部且つ前記支持システム枠の第２端に配され、これら第１ダンパ並びに第２ダンパは、前記磁石の往復移動に伴う前記支持システム枠の第１端或いは第２端との衝撃力を吸収し、更に、前記第１ダンパ及び前記第２ダンパが開口部を備えることを特徴とする請求項１記載の懐中電灯に関する。
請求項７に係る発明は、前記開口部上端に湾曲部が形成されることを特徴とする請求項６記載の懐中電灯に関する。
請求項８に係る発明は、前記開口部が一対の側壁を備えることを特徴とする請求項６記載の懐中電灯に関する。
請求項９に係る発明は、前記ダンパが圧縮力を受けると、前記一対の側壁が折れ曲がり変形することを特徴とする請求項８記載の懐中電灯に関する。
請求項１０に係る発明は、前記一対のダンパそれぞれが円形端部を備え、該円形端部が前記磁石に接触することを特徴とする請求項６記載の懐中電灯に関する。
【００１０】
本発明の光発生装置は、磁石が移動する場所であるチューブ状チャンバーを有するチューブ状ハウジングの移動中心部分において好ましく設けられ、磁石ピックアップ或いは電流誘導ワイヤーを通過してスライドするように取り付けられた中央に位置する大きな磁石を利用する。
一対のエラストマー・バンパーは、各々がチューブ状のハウジングの端に配置される。各エラストマー・バンパーは、チューブ状のチャンバーの側面、端面或いは両方のターミナルの端に対して固定されたエラストマー・バンパー自体のスプリングによって支持される。
設置される一連のものは、第１チャンバー端部あるいは第１スプリングに対する構造、及び第２端部あるいはチャンバー構造によって保持された第２バンパーに自由にスライドあるいは移動可能な磁石に対する第１バンパー構造である。上記した構造は、磁石が中央の磁石ピックアップ或いは電流誘導ワイヤーを通過してスライドするために懐中電灯本体の手動により移動することを促進させ、また、他の方向に向かうある程度の力学的エネルギーを確保するためのパンパー及びスプリングを供給することによって、一度磁石が磁石ピックアップ或いは電流誘導ワイヤーを通過して移動したならば、磁石の余剰運動量を確保することを促進させることを可能にする装置である。
磁石のサイズが、チューブ状チャンバーの長さ及びスプリングのサイズに適合している場合、手首を振ることで得られる最小のエネルギーで継続的に操作することができる、適合して密封された力学的システムが形成される。力学的入力エネルギーは、ライトが充電中に動作可能かどうかに関係なく保存される。供給されたエネルギーの一時的な貯蓄が激減した際であっても、本発明の懐中電灯は継続して利用することができるように、力学的充電動作が、エネルギーの消費に先立って十分なエネルギーを貯蓄されることを維持するようにするべきである。
この動作は、化学物質或いはコンデンサー或いはその他のものであるエネルギー保存容器からの照明時間の前に、力学的（その後に電気的）エネルギーを貯蓄装置に入力するために懐中電灯を数回振ることにより実行される。
【００１１】
さらに、外部制御用の稼動スイッチは、懐中電灯の内部及び外部との間に力学的リンケージを形成する必要がない力学的稼動を可能にするために、リードスイッチで作動する外部のより小さな磁石が伴われる。
【００１２】
本発明の懐中電灯の能力を非常に拡大することができる1つの器具は、誘導エネルギー変換を用いる充電器である。通常の充電器は、外部のエネルギー源との非接触となる可能性と同様に、接触部の物理的な接触及び対応する外部の磨耗性に影響を受ける。本発明の懐中電灯は、完全に密封しているので、誘導充電は安定した充電を供給し、物理的な接触による損失によって充電が不足する可能性はない。
【００１３】
充電システムにより、懐中電灯は即座に点灯する準備ができている。更なる付加構成は、特に電源異常時の場合、充電ハウジングにおいて電磁石により作動するためのオン・オフスイッチを並列の接続することである。懐中電灯ユニットが充電システム内蔵型なので、充電の停止は保存した電力の浪費されることにはならない。
更に、懐中電灯のスイッチを入れるために作動する継電器は、もし必要ならば使用者が懐中電灯を見つけて使用することを可能とし、懐中電灯の充電器から容易に取り出し、建物から出ることを可能にする非常灯としての懐中電灯の使用を可能にする。懐中電灯は、携帯用の終夜灯のように、継続的に充電される固定位置の終夜灯の役割を充電器が行うことを可能とする一方でスイッチ機能を入れることができる。
【００１４】
この充電器は、懐中電灯の充電システムで使用されるコイルと物理的に現実的な適合を有する誘導システムを使用する。充電器及び充電器のコイルへの近接、或いは充電器によって生み出される電磁場への接近が充電を起こす。その結果、充電器の構造は特に抑制されない。コンセントによって支持され更には懐中電灯を支持する埋め込みプラグインユニットが好ましいが、壁変圧器及び接続枠を有するモジュール充電器もまた良く機能する。前者は部屋の様々なコンセントでの配置を可能にし、一方後者はより特定化された適応及び配置を可能にする。
【発明の効果】
【００１５】
以上説明したように、請求項１に係る発明によれば、手動式にエネルギを発生可能な機構を内蔵した懐中電灯であって、該懐中電灯は、磁界を有する磁石と、円筒形状に形成されるとともに１つの開口部を備えるメインハウジングと、前記メインハウジングの前記開口部に隣接して噛合うキャップと、該キャップにより、前記メインハウジングに向けて力を負荷されることにより保持される光透過可能材料と、第１端と第２端を備え、該第１端と該第２端との間の磁石の往復移動を案内するとともに前記キャップによって、前記メインハウジング内で保持される支持システム枠と、前記磁石が往復移動する毎に、該磁石が通過するように配されるとともに該磁石の通過に伴い該磁石の磁界によってエネルギを生ずる磁石ワイヤと、電荷を蓄えるコンデンサと、発光ダイオードと、前記コンデンサ、前記発光ダイオード及び前記磁石ワイヤと接続する回路からなり、該回路が前記磁石ワイヤのエネルギを前記コンデンサに蓄えられる電荷に変換することを特徴とする懐中電灯であるので安定した高出力であり、人力による充電が可能である、緊急時に用いる懐中電灯が得られる。
【発明を実施するための最良の形態】
【００１６】
本発明、その構成、構造及び動作は、添付の図面と連携する以下の詳細な記載に最も良く記載される。
本発明の記載及び動作は、以下懐中電灯１１とされる誘導電流懐中電灯を示す図１を参照して始められる。懐中電灯１１の外観は、メインハウジング・チャンバー１３部分と、境界線１７によってメインハウジング・チャンバー１３部分から分離されるフロントキャップ１５部分の２つの部分を示す。
フロントキャップ１５部分は、ネジ式噛み合い部分及び組み込みレンズを含む結合キャップ或いは単一クリアキャップを含むことができる。図中で示されるバージョンでは、レンズはキャップの噛み合い部分と分離して示されるが、これは単に可能な変化形の１つである。メインハウジング・チャンバー１３の後部は、図２においては直接見えないが、矢印によって示される孔２１を有する突出ラグ１９である。上平面部２５及び下平面部２７は、図２に示される。メインハウジング・チャンバー１３の拡張部２９は、境界線１７でフロントキャップ１５に接触することが示される。
【００１７】
懐中電灯１１の頂部に、付属のスイッチ部品３１が、円筒状の外部表面に重なる付属のサドル３３とサドル３３内に適合する保持部材（図１中に示されていない）を有するスライド部材３５を伴って示される。全てのスイッチ部品３１は、固着及び融着又は同様の方法によりメインハウジング・チャンバー１３へ取り付けることができる。
スイッチ部品３１は、磁石の接近によってリードスイッチを閉じるために、リードスイッチ（図１中に示されていない）が配置されるハウジングチャンバー１３部分上の点へのスライド部材３５内の磁石の移動によって作動する。
懐中電灯１１の配置が磁石ワイヤー６３及び磁石６５を含み、水及び湿気から懐中電灯１１の内部が保護されるようなものであることが留意されるべきである。
磁石６５は、典型的にはN３５の強さを有することができ、また、磁石ワイヤー６３は約１６００の巻数を有することができる。磁石ワイヤー６３のコイルによる磁石６５の各通過により約１．３ワットの電気量を発生することができる。
【００１８】
しかしながら、メインハウジング・チャンバー１３に対して外部に磁石６５を設けることができ、一方磁石ワイヤー６３が内部或いは外部に配置することができることが検討される。更に、直線のチューブ状に成形加工されたメインハウジング・チャンバー１３における単純な動作ではなく、むしろ他の力学的構造及び配置構造によって磁石６５の動作をもたらすことができる。
【００１９】
示されるように、サドル３３が上部に設けられるメインハウジング・チャンバー１３の部分は、より良くサドル３３を収容するため、外部からかかる力、特にメインハウジング・チャンバー１３に沿った力によっては存されないように特に保護するために収容スペース或いは凹部を提供することができる。
【００２０】
フロントキャップ１５は、装飾の効果だけではなく、指及び手動操作のためのおおよその間隔を提供する、一連の窪み３９を伴って供給されているのが示される。懐中電灯１１は、防水性、耐衝撃性があり、一般的に燃え尽きる電球を用いないために決してアフターサービスが必要とならないように意図される。電球には、対衝撃性があり、一般に交換が予想されない発光ダイオードを使用する。
窪み３９は、更に最大限の密封性を提供し、一方で付属ネジのオーバーランニングの機会を最小化するために、予め決定された回転数で取り付けられるフロントキャップ１５の力学的配置を支持することができる。更に端面４１が示される。
【００２１】
図２を参照すると、前方を向いた図１に示される懐中電灯１１の斜視図が、キャップ１５内の詳細を更に示す。キャップ１５内で、端面４１を越えた所が斜面４３である。斜面４３を越えた所が、内部の円筒状の柱面４５である。
内部の円筒状柱面４５の隣は、湾曲したレンズ４７である。示されるように、密閉は湾曲したレンズ４７の後ろで起こり、構造の配列は、境界スペース或いは境界線１７を越えた湿気或いは水が、懐中電灯１１の内部機構に更に侵入するためには、湾曲したレンズ４７の後ろのシールを通り抜けなければならないようにする。
更にスライド部材３５のすぐ後部に示されるのは、スライド部材３５が移動することができる範囲を定めるスライド・スペース４９である。
図２の配置において、これは、メインハウジング・チャンバー１３本体に沿った前方と後方への動きを可能とするように示されているが、側面から側面へ移動する配列とすることができる。
【００２２】
図３を参照すると、図１及び図２で示される、誘導電流懐中電灯１１の正面図は、拡張部２９を有するメインハウジング・チャンバー１３の視覚上の効果と同様に既に綿密に覆われた構造の適応を示す。
【００２３】
図４Ａ及び４Bを参照すると、図２の４Ａ、４B線に沿った部分の拡大図が示される。突出ラグ１９に最も近接してメインハウジング・チャンバー１３の端部から始まり、メインハウジング・チャンバー１３の内部表面５１に隣接して、センタリング枠５３は突起５５及び５７に支持される。
センタリング枠５３は、磁石移動支持枠６１内で自由に軸方向にスライドする動きをなすために取り付けられる磁石６５の移動の中心に近接する位置で磁石ワイヤー６３の１６００回転を支持する磁石移動支持枠６１を含む磁石ワイヤー及び磁石支持部品５９を支持する。
用語「磁石ワイヤー」は、このワイヤーが磁石の移動により誘導電流を有するように意図されることを単に示すために用いられる。
【００２４】
センタリング枠５３に最も近い磁石移動支持枠６１の端は、センタリング枠５３に対して内部で適合して設置されることを可能にするために周囲の外側に向いた溝６７を含む。
磁石移動支持枠６１の中心の近くで、一対の間隔を置いたランド６９が、メインハウジング・チャンバー１３の内部表面５１に対して磁石移動支持枠６１を安定させること、磁石ワイヤー６３のために定められた環状の放射状部分を供給することの両方のために供給される。
図４B中で示されるケースでは、この部分は、より多くの磁石ワイヤー６３を収容しかつより小さい円筒状の半径を有する数７１で示される磁石移動支持枠６１の外面の部分を含むが、このことは、どのデザインにもあてはめる必要はない。
【００２５】
周囲の外側に向いた溝６７の反対側にある磁石移動支持枠６１の一部分で、放射状のランド７３は、メインハウジング・チャンバー１３の内部表面５１に対して磁石移動支持枠６１を安定させるために提供される。
【００２６】
センタリング枠５３の近くの磁石移動支持枠６１の端の内部及び近くで、スクリュー７５は、スプリングリテーナー７７をセンタリング枠５３に対ししっかりと固定する。
更にスプリングリテーナー７７は、後部スプリング７９の第１端で後部スプリング７９をしっかりと固定し、磁石移動支持枠６１の内部で、好ましくはある意味では、スプリングリテーナー７７は内部表面８１に対して接触或いはすれない。スプリング７９の第２端は、中心孔８７の周りの第２端の後方の拡張突起部８５によってダンパー８３に取り付けられる。
【００２７】
放射状ランド７３の近くの磁石移動支持枠６１の端の内部及び近くで、スクリュー７５は、スプリングリテーナー７７を磁石移動支持枠６１の端壁８９に対ししっかりと固定する。
更にスプリングリテーナー７７は、後部スプリング７９の第１端でフロントスプリング９１をしっかりと固定し、フロントスプリング９１の第１端及び磁石移動支持枠６１の内部で、好ましくはある意味では、スプリングリテーナー７７は、磁石移動支持枠６１の内部表面８１に対して接触或いはすれない。フロントスプリング９１の第２端は、中心孔８７の周りの第２端の後方の拡張突起部８５によって第２ダンパー８３に取り付けられる。
【００２８】
更に示されるように、磁石移動支持枠６１は、放射状のランド７３の端には示されないが、好ましくはパナソニックEECF5R5U105からなることができ、最大１ファラッド有することができ、エネルギー保存容量のために望まれる制限によってのみ制限されるゴールド・コンデンサー１０１を支持するために支持部９７に繋がるウェブ部９５で続く。
ゴールド・コンデンサー１０１は、懐中電灯１１に電力を供給するためにエネルギー保存を提供する。図４Ａの図を遮るためにあるが、図４Ａの断面図を示すために取り除かれる壁と同様に支持部９７は、壁１０３を伴って延長される。仕切板１０５は、ゴールド・コンデンサー１０１上に位置して示される。仕切板１０５上に、リードスイッチ・ブラケット１０７は、リードスイッチ１１１を間隔を空けて配置するために1又はそれ以上のテープ１０９を支持する。リードスイッチ１１１は、スライド部材３５の略前方への移動によって占められる位置の真下にある。小さい磁石１１５は、スライド部材３５内及びリードスイッチ１１１の上方及びすぐ側の位置に示される。
小さい磁石１１５は、スライド部材３５が前方の位置にあるとき、リードスイッチ１１１を閉じるために利用される。図４Ａはまた、付属のサドル３３内で移動するスライド部材３５の真下の小さい磁石を収容するメインハウジング・チャンバー１３における外部窪み１１７の深さを示す。
スライド部材３５及び小さい磁石１１５が、リードスイッチ１１１から離れサドル３３内の後方に来る時、リードスイッチ１１１は、任意に存在する発電用の回路を中断するために開く。
【００２９】
支持部９７の前方に、さらなる支持部１２１はリフレクタ・ハウジング１２３に支持部９７を接続する。リフレクタ・ハウジング１２３の後方では、発光ダイオード１２５が回路１２６に接続される。回路１２６は、磁石６５の各通過の長さのための磁石ワイヤー６３及び磁石６５で発生した交流電流の整流を提供する。発光ダイオード１２５は、リフレクタ・ハウジング１２３内に同軸上に取り付けられ、リフレクタ材料１２７によって囲まれる。リフレクタ・ハウジング１２３の内部柱面もまた反射するようにしてもよい。リフレクタ・ハウジング１２３のすぐ前で、メインハウジング・チャンバーの内表面５１は、内表面５１よりも同心的に大きな溝１３１を含む。溝１３１は、「Ｏ」リング１３５に適合する放射状表面幅を有する。溝１３１は、「Ｏ」リング１３５及びレンズ４７のおよそ半分の厚さの両方を収容する軸方向の深さを有する。レンズ４７は、その内部の柱面４５が以前に見られた、内部柱状部材１３９の接合部１３７の後方への射出によって適所に配置される。同様に見られるように、接合スペース１４１は、レンズ４７のすぐ近くにあり、メインハウジング・チャンバー１３とフロントキャップ１５の間にある。接合スペース１４１は、メインハウジング・チャンバー１３上のネジ山の外側セット１４３とフロントキャップ１５上のネジ山の内側セット１４５を含む、ネジ込みインタフェースへとつながる。ネジ込みインタフェースの反対側は、境界線１７とつながっている。
【００３０】
いかなる湿気あるいは水も、２つの経路のうち１つにしか入ることだできないことに留意がなされるべきである。１つの経路は境界線１７を通過し、フロントキャップ１５上のネジ山の外側セット１４３と内部セット１４５の間のネジ込みインタフェースを通過して、レンズ４７の端部へと通り抜ける。別の経路は、レンズ４７の正面の外周辺とフロントキャップ１５の内部柱状部材１３９の連続的な接合部１３７の間にある。
【００３１】
メインハウジング・チャンバー１３の内部に入るために、湿気は「Ｏ」リング１３５と溝１３１の間の密封された障壁を通過するか、あるいは「Ｏ」リング１３５とレンズ４７の裏面１４７周辺の間にある密封された障壁を通過しなければならない。
【００３２】
まず、懐中電灯１１に可変容量部材の供給が可能であることは明らかである。例えば磁石６５は、約１９ミリメートルの直径サイズ及び約２８ミリメートルの長さを充分に利用して機能する。磁石６５の磁界の強さは、使用される材料によるであろう。変化形としては、プラスチックの相互連絡部によって分離された２つの磁石６５の使用を含んでもよい。この配置で磁石は、メインハウジング・チャンバー１３の各傾斜に対し、磁石ワイヤー６３を２度励磁する。理想的には磁石６５の対は、１回の傾斜が、１つの磁石での２回の傾斜と等しくなるように逆に極性化する。懐中電灯１１の各傾斜に磁石ワイヤー６３の４つの作動を与えるために、３つあるいは４つの磁石を共に連結することができる。
【００３３】
反対に、磁石ワイヤー６３の複数部分を提供することができる。磁石ワイヤー６３を２つ有する部分は、磁石６５が、磁石移動支持枠６１の１つの端部から他方の端部へ１回通行あるいは１回傾斜する毎に、エネルギーを２回発生する。また、ダンパー８３の固さ及び磁石６５(あるいは複数の磁石６５)の重量と結びついたスプリング７９及び９１の強さは、懐中電灯１１を作動するための振動の固有振動数を決定する。さらに、磁石移動支持枠６１がほとんど摩擦の無い材料で作られている場合、また磁石６５が磁石移動支持枠６１の摩擦の無い材料に対する補完的な材料で作られている場合、摩擦からのエネルギーはほとんど消費されず、逆の磁気EMF力の大部分は、懐中電灯１１を振ることに対する抵抗として顕著に表れる。磁石移動支持枠６１内の空気取り込みによる抵抗に関しては、空気が通過する代替的ルートを提供することにより無効化される。代替的ルートは、磁石６５中に芯を提供することにより、あるいは磁石６５の側端に沿った横溝を提供することにより、あるいは交換空気が通過するための間隔と同様に、より少ない磨耗表面エリアを提供するために磁石移動支持枠６１の内部に沿った長いリブを提供することにより、あるいは磁石移動支持枠６１自体に、例えば磁石移動支持枠６１の外表面とメインハウジング・チャンバー１３の内表面の間にある空間に、空気の通過を許容する換気孔を提供することよって遂行することができる。
【００３４】
懐中電灯１１中の保存されたエネルギーが高性能のゴールド・コンデンサー１０１で遂行されるならば、ゴールド・コンデンサーの保存能力は、より多くの並列コンデンサー１０１、あるいはより大きなコンデンサー１０１のいずれかの利用により拡大することができる。蓄電池とは異なり、コンデンサー１０１は、長時間の帯電によって悪影響を受けない。コンデンサーは不意の漏出に基づいて、漏出あるいはレーティングを有するが、この要因にもかかわらず、一定の電荷を維持することに起因するマイナスの効果はない。そのため懐中電灯１１は、移動するかもしれない水平位置で保管することが理想的である。例えば、トラックの座席下で側面に沿って保管することは、曲がり角を曲がるたびに、磁石移動支持枠６１の１つの端部から磁石６５を移動させる。ゆっくり回転する表面上でのように、更に具体化された構造では、懐中電灯１１の取り付けは断続的な電荷を提供する。優勢な方向へかなりの振動を受ける機械類においても、懐中電灯１１を取り付けることができる。取り付け方法は変わるかもしれないが、いかなる取り付け外部磁石も、磁石６５の両方の通過経路から遠ざけて設置されるべきである。これらの場合全てにおいては、懐中電灯１１は、完全に充電された状態で自動的に使用可能になる。
【００３５】
記載された構造を利用して、約５分間発光させるために、発光ダイオード１２５に電力を供給するのに十分なエネルギーを作るために、懐中電灯１１を約１／２秒に１回の動きで合計９０秒間、手動で前後に振ることが求められる。光出力は好ましくは、また意図的に低く抑えられ、サイクル時間によって使用者がエネルギー利用時間の「有利な状態を継続する」という能力を有するために、約６０００luxである。約５分間発光するための９０秒の振動の例においてはまた、構成部品の能力によって、発光ダイオード１２５がスイッチ部品３１によりスイッチを切られている時に振動を実行することが望ましい。緊急状態で、発光ダイオード１２５をオンにして振動を実行する使用者は、より少ないサイクル時間及び激しく揺れる光を経験することになる。５分間の移動の後に、構成部品が活発な９０秒の振動にセットされ、また懐中電灯１１がオンの間に振動が生じたならば、５分は約３.５分に減少する。
【００３６】
図５を参照すると、本発明の更なる実施形態の分解組立図が、単一ボディ湾曲つまみダンパー１５１の存在と同様に、内部の詳細も更に示している。半分囲まれた回路エリア及び取り付けられたリフレクタ・ハウジング１２３を形成する磁石ワイヤー及び磁石支持部品５９、ウェブ部分９５、及び支持部９７を含む統合内部支持システム１５５の斜視図がまた示される。
【００３７】
統合内部支持システム１５５は、メインハウジング・チャンバー１３内に安全に固定することができ、振動の動作中に内部を安定させて支持する、安定した支持構造を形成する。システム１５５は本質的にハウジング１３の長さを延長するので、その後部がハウジング１３の後部によりかかった設置と、ハウジング１３の前方に取り付けられた時のキャップ１５の圧力によるハウジングの前部での設置がある。
【００３８】
その他の詳細は、図面の上部左側の始まりに見られる。サドル３３は、スライド・スペース４９を含んでいるのが分かり、スライド部材３５は、このスライド・スペース４９を通って軸方向に移動する。スライド部材３５のマッチング・スペース下の金具として、小さな磁石１１５が見られる。その結果、マッチング・スペース１５７は、リードスイッチ１１１から、定められた隔たりを有することのみを必要とする。
【００３９】
円筒状ハウジング上で適合するためにサドル３３が湾曲可能であるので、スペース１５７は存在しなくてもよい。しかしながら、スペース１５７の使用は、組立プロセスのより良い制御を可能とする。センタリング枠５３はカバーとして形成され、単一ボディ湾曲つまみダンパー１５１のアンカ１６１を収容するために中央孔あるいは開口部１５９を有する。ダンパー１５１の装填は、中央孔を通してアンカ１６１を固定するために、摩擦あるいは枠５７への接着、糊着によってネジ留めするのと同じくらいに容易である。システム１５５全体が安定した圧縮下にある限りは、枠５７及びダンパー１５１は、枠５７との接続からそれ自体を移動させない。
【００４０】
端壁８９の開口部１６２は、他の湾曲つまみダンパー１５１の他のアンカ１６１を収容する。一旦アンカ１６１が、枠５７あるいは端壁８９のいずれかの開口部１５９あるいは１６２を通って通り抜けると、アンカ１６１は、アンカ１６１が妨害する物体のための空隙を提供するために必要であるように、削り取られるか切り取られる。さらに、一対の露出ワイヤー１６５に対してリードスイッチ・ブラケット１０７を保持するのに使用されるネジ１６３が見られ、この露出ワイヤー１６５は、回路仕切板１０５から上方向に伸びている。別のネジ１６７は、ゴールド・コンデンサー１０１を回路仕切板１０５へ安全に固定するために使用される。全てのエレクトロニクスは、間隔を置いた一対の相対する壁１０３、及び横たわる支持部９７を含んでボックス開口部内に取り付けられる。
【００４１】
図６及び７を参照すると、単一ボディ湾曲つまみダンパー１５１の斜視図及び側面図は、その更なる詳細もまた示す。アンカ１６１は、円錐表面１７１を有し、ダンパー１５１のベース面１７３とは距離を置いて配置されるランド１６９を含む。アンカ１７５の一部分は、ランド１６９とベース面１７３の間にあり、ダンパー１５１の固定を補助するために、開口部１５９及び１６２周りの構造をつかむようにする。妨害の問題がある場合、ランド１６９を越えたアンカ１６１の長さは、設置の後に削ることができる。アンカ１６１の主要な長さは、開口部１５９及び１６２を通して手動でネジ留めするため、及びランド１６９を引っぱって通り抜けさせる張力を促進するためである。
【００４２】
ベース面１７３はベース１７７の一部である。一対の砂時計型に形作られた、あるいは傾いた側壁１８１及び１８３は、ベース１７７から延びている。各側壁は、その長さのおよそ半分のあたりでお互いに向かって僅かに傾き、その後、上部の内部湾曲部１８５を形成するために反り戻る。湾曲部１８５は円形固体端部部材１８９の下に位置する。
【００４３】
成形された側壁１８１と１８３の反対の性質は、円形固体端部部材１８９とベース１７７の間に生じる軸方向の圧縮力が、側壁１８１と１８３に対し、その中央点で互いの方に曲がらせることを確実にする。変形の第一段階は、側壁１８１及び１８３が、それらの中央部分が互いの方へ引き寄せられて、それらの中央部分付近で曲がる時に起こる。変形の第二段階は、側壁１８１と側壁１８３の中央部分が接触すると起こり、この第二段階では、側壁１８１及び１８３の中央部分が相互接触する表面エリアが増加する。
【００４４】
変形の第一段階は、磁石６５の動きを変形の第二段階よりも遅くする。ダンピング作用のために、スプリング跳ね返り力の作用は、磁石６５にはもたらされない。この影響は、懐中電灯１１の残りの質量に略等しい磁石の質量によるものである。質量の総計によって、典型的な使用者の動作が懐中電灯を著しく前後に動かすようにし、磁石６５の通過経路は、振動の程度の大きさ及び頻度に依存して、懐中電灯１１の動きによって著しく短くされる。ダンパー１５１の主要な動作は、特に懐中電灯１１が激しく振られる場合、磁石６５が磁石ワイヤー及び磁石支持部品５９の構造と激しく衝突することを防ぐことである。ダンピングは、磁石６５と磁石移動支持枠６１の内部表面８１の間にある空隙によって補助される。
【００４５】
懐中電灯１１の利点は、使用者が、緊急使用あるいはバックアップ使用のために利用可能であるとともに電池を必要としない懐中電灯を保有できるとという点で明らかである。懐中電灯１１の密封されたユニットは、数十年間使わずに放置しておくことができ、その後、使用するために押し出される。コンデンサー１０１がエネルギー保存装置として使用され、コンデンサー、特に高性能(ユニット重量あたりの電荷)のコンデンサーは典型的にはその電荷を排出する。その結果、典型的に安定した位置に懐中電灯１１を保管する使用者は、使用する準備ができる前に、懐中電灯にエネルギーを与えるために懐中電灯１１を見つけて振る必要がある。
【００４６】
さらに、懐中電灯１１を非常灯としてより良く使用できるようにするコンデンサー１０１を充電する方法がここに示される。懐中電灯において典型的に使用される蓄電池は、腐食するか、あるいは長期間電荷を保持するように要求されることから機能しなくなるので、長時間充電位置に置かれた多くの非常灯は機能しない。充電器が従来の懐中電灯と共に配置される場合、充電器からの熱は電池を破損する場合がある。
【００４７】
懐中電灯１１は、懐中電灯１１のメインハウジング・チャンバー１３を介して受け取られた電磁力エネルギーによって、コンデンサー１０１を充電することができる充電コイルを備えた使用のために修正の余地がある。充電器は多様な支持構造を可能にするために、様々な構成に構築することができる。横たわる枠に加えて、コイルを含んでいるか、あるいは磁石ワイヤー６３中に電流を誘発させることができる磁界を発生するハウジングもまた、コンデンサー１０１を充電しておくために動作する。これにより使用者は、その充電器から即座に利用可能な、迅速に準備できる緊急用懐中電灯として懐中電灯１１を保有することができる。停電に関連した緊急事態において、懐中電灯１１は作動の準備ができており、充電器からはずされた後、使用される電流を補うために単に振られさえすればよい。
【００４８】
図８は、充電器、及び全面的な懐中電灯１１の回路と該充電器の関係を例示するブロック図である。電源入力線入力ブロック２０１は、充電エレクトロニクス・ブロック２０３に電力を供給するものとして示されている。電源入力線入力ブロック２０１は、交流磁界を生じる可逆エレクトロニクスを有するＡＣ入力あるいはＤＣ入力のいずれかで有り得る。充電器エレクトロニクス・ブロック２０３は、充電コイル２０５に接続される。懐中電灯１１内の磁石ワイヤー６３に電磁界が誘発される１つの方法を例示するために、懐中電灯１１は充電コイル２０５内に物理的に示される。図８の残りの部分は、磁石ワイヤー６３で始まり、懐中電灯１１に関連した構成要素を例示する。
【００４９】
充電コイル２０５は分離されるが、磁石ワイヤー６３のコイルに近接している。磁石６５は、磁石ワイヤー６３を通って移動する位置に示される。よって、磁石ワイヤー６３は、磁石６５の移動によって、あるいは充電コイル２０５からの交流電磁界によってエネルギーを与えられる。
【００５０】
磁石ワイヤー６３は整流器ブロック２１１に接続される。整流器ブロック２１１は平均電圧保護ブロック２１３に接続される。平均電圧保護ブロック２１３は電荷保存コンデンサー・ブロック２１５に接続される。電荷保存コンデンサー・ブロック２１５からの一対のリードの１つは、リードスイッチ・ブロック２１９に直列で接続される。電荷保存コンデンサー・ブロック２１５からの別のリード、及びリードスイッチ・ブロック２１９からのリードは、白色光発光ダイオード・ブロック２２１に接続される。
【００５１】
白色光発光ダイオード・ブロック２２１は、帯電保護器ブロック２２３に並列に接続される。スライドつまみブロック２２５はリードスイッチ・ブロック２１９に近接して示されるが、リードスイッチ・ブロック２１９から分離されている。小さな磁石１１５を含んだスライドつまみブロック２２５が、リードスイッチ・ブロック２１９の近くへ移動される場合、リードスイッチ１１１は懐中電灯１１を点灯させるために閉じる。小さな磁石１１５を含んだスライドつまみブロック２２５が、リードスイッチ・ブロック２１９の近辺から移動される場合、リードスイッチ１１１は懐中電灯１１を消すために開く。
【００５２】
図９を参照すると、充電器ハウジング２５１に支持される長方形として示された、懐中電灯１１の使用を示す概略図が示され、この図は、懐中電灯１１のハウジング２５１のための支持、あるいは少なくとも幾つかの充電器ハウジング２５１の、懐中電灯１１のハウジング２５１に関する配置レジスタリングの幾つかを示す。充電器ハウジング２５１内では、電磁石ブロック２５５は、（１）リードスイッチ１１１に並列に接続される補助的リードスイッチ１１１の近くに配置されるか、あるいは（２）直接リードスイッチ２５６の近くに配置される。リードスイッチ１１１あるいは２５６のいずれかは、継電器ブロック２５７が接続される電磁石ブロック２５５の駆動により、懐中電灯１１を点灯させる。
【００５３】
スイッチ部品３１がリードスイッチ１１１上に位置するので、起動するための電磁石ブロック２５５は、リードスイッチ１１１の動作をカバーあるいは妨害し、ある場合では小さな磁石１１５によって影響される。別個のリードスイッチ２５６をリードスイッチ１１１と並列で配線し、任意の場所に配置することによって、使用者は独立した「オン」制御を有する。使用者は、電源障害が生じようが生じまいが、懐中電灯１１をその「オン」位置に切り替えることができる。
【００５４】
ある場合では、継電器ブロック２５７が充電エレクトロニクス・ブロック２６１によってエネルギーを与えられる時は常に、懐中電灯１１へエネルギーが与えられる。充電エレクトロニクス・ブロック２６１は電源入力ブロック２６３に接続される。電源入力ブロック２６３が、ライン電気入力及び電池保存の両方を含んでいる場合、これは電源障害時に自動的に電池に変わることができる。オプションの充電器発光ダイオード２６５は、充電器ハウジング２５１の活性化を示すために使用できるだけでなく、電源入力ブロック２６３が電力を有する場合、電源障害時に照明を提供するために使用することができる。
【００５５】
充電器ハウジング２５１への電力入力が機能しない場合、電力入力ブロック２６３は電池電力に変わる。また、充電コイル２０５の活性化を維持あるいは活性化する。その後電源入力ブロック２６３は、電磁石ブロック２５５へエネルギーを与えるか、あるいは電力を断つために、継電器ブロック２５７を閉じるあるいは開く。最大限に電力を節約するために、この段階は、電磁石ブロック２５５の電源を切ってリードスイッチ１１１あるいは２５６を開くことを含み、例えば永久磁石に対する電磁の停止によって、リードスイッチ１１１が閉じるようにする。
【００５６】
どんな場合も、リードスイッチ１１１を作動させることは、懐中電灯１１を点灯させるために継電器ブロック２５７を閉じるように働く。好ましくは充電器ハウジング２５１は、懐中電灯１１を支持し、好ましくは懐中電灯１１を垂直に上向きの位置へ位置付けるように配置される。これは、充電器ハウジング２５１及び懐中電灯１１１の組み合わせが停電時の光になるということになる。多くのこのような充電器ハウジング２５１及び懐中電灯１１の組み合わせセットを装備した家庭あるいはオフィスは、電源障害時の自動夜間点灯を経験する。しかしながら、終夜灯は取り外しができず、持ち運ぶことはできない。住居の１人あるいは２人の現住者が停電を経験する状況において、これらセットは視界を確保するのに十分な光を発することができるだけでなく、懐中電灯１１の所へ直接行って充電器ハウジング２５１からそのセットを取りはずすことができ、建物からの避難を補助するために懐中電灯１１を使用することができる。
【００５７】
多くの従業員を抱え、また多くの充電器ハウジング２５１及び懐中電灯１１の組み合わせセットを備えている仕事場においては、各従業員は避難を補助する手軽な光を持つことになるであろう。家庭と仕事場の両方の状況で、手動で振動によって懐中電灯１１に電力を加える性能のために、長い避難ルートを何とか通りぬけることができる。継続する充電を提供するために充電器ハウジング２５１を有することによって、各懐中電灯１１は完全に充電され、停電の場合に機能する準備ができている。
【００５８】
また、充電器ハウジング２５１は、懐中電灯１１に電力を伝える全ての形状で有り得るものであり、また電力損失時にリードスイッチ１１１の駆動を可能にする全てのオリエンテーションで有り得る。代替的に、継電器２５７及び電気的に始動した磁石２５５は、他の２つの代案に存在する必要はない。最初の代案では、懐中電灯１１がオフ位置に維持されるが、一定の電荷を受けている。この状況で、使用者は停電の際に、充電器ハウジング２５１及び懐中電灯１１の組み合わせセットを暗やみで見つけなければならない。これは最適の状況ではないが、充電器ハウジング２５１及び懐中電灯１１の組み合わせセットが、容易に到達可能な位置に保管される場合、あるいは充電器がそれ自体の照明発光ダイオード２６５を備えている場合、見つけることができる。
【００５９】
第２の別の代案は、永久につけておかれる懐中電灯１１を含んでいる。前に述べたように、単一の白色光発光ダイオードが使用される場合、懐中電灯１１からの光の量が多くない。懐中電灯１１が絶えずつけておかれることになっている場合、懐中電灯１１は昼間に有効な量の光を出力しないことに気付くべきである。夜に、光の出力は終夜灯に匹敵する。もし絶えずつけたままであれば、懐中電灯１１は完全にコンデンサーを充電しておくとともに白色光発光ダイオード光源２２１からの光出力の量に匹敵する十分な電源入力を持つべきである。
【００６０】
もちろん、最も自動化された構造において、懐中電灯１１が充電器ハウジング２５１内の所定の休止位置に配置される場合はいつでも、充電コイル２０５は磁石ワイヤー６３を充電する。懐中電灯１１が充電器ハウジング２５１に対して垂直の位置に配置されている場合、充電器の充電コイル２０５は、好ましくは懐中電灯１１が充電コイル２０５に近接する垂直の位置にあるのがよい。
【００６１】
図１０を参照して、図８および９において可能な形態の多くは単一のハウジングに組み合わせられた。格納式のＡＣ電源プラグ２７５は懐中電灯１１のハウジング２５１の下端に配置される。プラグ２７５は共通の交流コンセントで懐中電灯１１を支持するのに十分である。電力が懐中電灯１１のハウジング２５１に直接利用可能になるので、充電コイル２０５の磁石ワイヤー６５への接続は必要ではない。
【００６２】
電源２６３は充電器エレクトロニクス２６１の電力ピックアップを備えた容量性の電力トランスファー装置とすることができる。ハウジング２５１の内部は、そのような配置によって図５で見られた構成要素とのその密封した関係を維持することができる。容量性トランスファーは、メインハウジング・チャンバー１３内の個別のラインで、充電器エレクトロニクス２６１に直接に、あるいはハウジング２５１が形成されるときに形成される接続端子を用いた直接電導によって、接続することができる。電源プラグ２７５から整流器に電流を持っていくために異なる構造と結合した様々な機械的な手段は、メインハウジング・チャンバー１３の密閉を維持することができる。
【００６３】
図１０で見られた他の構成要素は図９で見られるものと同じ物である。示された配置では、懐中電灯１１は、壁埋め込みプラグの中の挿入のための位置へプラグ２７５のブレードを配置するために操作することができる。作動のモードは、（１）発光ダイオード１２５の照明の入力電力のロスの検出、又は（２）リードスイッチ２１９の使用者による操作により選択可能なように常にそしてより好ましくは一定の照明の状態のもとで十分な充電を維持する十分な電力入力能力で、又は（３）常にオフでありそして使用者によって選択可能なように充電しそして好ましくは暗闇でオフの懐中電灯１１のアシスト位置に充電照明発光ダイオード２６５でアシストされ、そして（４）ＡＣ電源異常のイベントにおいて照明発光ダイオード２６５を発光することを含んでいる。
【００６４】
図１１を参照して、ハウジング２５１の正面図は、ハウジング２５１と同一平面内に収められた１組のブレードのように見える、ＡＣ電源プラグ２７５とともに示される。この態様では、ＡＣ電源プラグ２７５は、壁埋め込みコンセントで充電するために配置され、壁出口から支持することができ、充電位置になく運ばれる時もしくは格納される時に収容位置に収めることができる。
【００６５】
図１２を参照することで、より詳細な図面が示される。この図面は、磁石ワイヤー６３の固有周波数にできるだけ一致するより低い周波数フィールドへの交流変換を例証する。第１の整流器セクションの下流に示された回路は、直流電源との接続において使用することができる。
【００６６】
図の左から始まって、充電器回路３０１はプラグ３０３を含んでおり、このプラグは典型的には家庭で見られるような壁ソケットからの交流入力（２２０あるいは１１０ボルトのような）をとる。プラグ３０３のライン端子に接続されたスイッチＳＷ１は、壁接続の状態からプラグ３０３を移動させることなく充電器回路３０１を切ることができる。抵抗器Ｒ１とコンデンサーＣ１の並列接続からなるフィルタセットは、ダイオード整流ブリッジＢ１の位置１へフィルタ処理されたＡＣ電流を供給する。ダイオード整流ブリッジＢ１の位置３は、プラグ３０３の他方或いはニュートラル端子と接続される。ダイオード整流ブリッジＢ１の位置４はアースされ、充電器３０１の接続されている回路の残りのためにメインノードを形成する。
【００６７】
ダイオード整流ブリッジＢ１の位置２は、コンデンサーＣ２を介してアースされ、ダイオード整流ブリッジＢ１の位置２はまた、抵抗器Ｒ２と発光ダイオードＯＮ  ＬＥＤの直列接続を介してアースされている。
【００６８】
ダイオード整流ブリッジＢ１の位置２は、抵抗器Ｒ３を介してトランジスタＱ１に接続され、このトランジスタＱ１のエミッタはアースされている。トランジスタＱ１のコレクタは、コンデンサーＣ３を介してトランジスタＱ２のベースに接続されている。さらに、ダイオード整流ブリッジＢ１の位置２は、抵抗器Ｒ４を介してトランジスタＱ２のコレクタに接続されている。
【００６９】
ダイオード整流ブリッジＢ１の位置２は、抵抗器Ｒ６を介してトランジスタＱ２のコレクタに接続され、このトランジスタＱ２のエミッタはアースされている。トランジスタＱ２のコレクタは、コンデンサーＣ４を介してトランジスタＱ１のベースに接続されている。さらに、ダイオード整流ブリッジＢ１の位置２は、抵抗器Ｒ５を介してトランジスタＱ２のコレクタに接続されている。
【００７０】
トランジスタＱ２のコレクタは、抵抗器Ｒ８を介してトランジスタＱ３のベースに接続され、トランジスタＱ２のコレクタとトランジスタＱ２のエミッタはアースされている。さらに、ダイオード整流ブリッジＢ１の位置２は、抵抗器Ｒ７とコイルＬ１の直列接続を介してトランジスタＱ３のコレクタに接続されている。コイルＬ１は、最大電力トランスファー特性を得るために懐中電灯１１の磁石ワイヤー６３のコイルと特性を一致させる大きさを有している。
【００７１】
磁石ワイヤー６３のコイルとこのコイルを通過する充電磁石６５は、オリエンテーション目的のために多少概略的に見えそして示される。さらに、コイルＬ１と磁石ワイヤー６３のコイルは、コイルＬ１の通電が磁石ワイヤー６３のコイルを励磁するように、物理的に近接して設けられることが可能である。これを達成する構造は、懐中電灯１１のハウジング１３に適応するか或いはそのような他の相性のよい構造のより大きなコイルＬ１の提供を含んでいる。
【００７２】
懐中電灯１１のための回路を継続して、磁石ワイヤー６３のコイルは、ダイオード整流ブリッジＢ２の位置２および４に接続される。ダイオード整流ブリッジＢ２の位置１と３は、他の図でコンデンサー１０１として示されるコンデンサーＣ５と５．１ボルトのツェナーダイオードＺ１の並列接続を介して接続されている。ダイオード整流ブリッジＢ２の位置１と３は、リードスイッチ１１１と照明ＬＥＤ  １２５の直列接続を介して接続され、それらの両方は前の図面で参照される。
【００７３】
（表１）
回路値
Ｒ１          １メガオーム
Ｒ２          ３キロオーム
Ｒ３、Ｒ６    ２．７キロオーム
Ｒ４、Ｒ５  ４７キロオーム
Ｒ７        １２キロオーム
Ｒ８        ２キロオーム
Ｃ１        ０．２２ピコファラッド
Ｃ２        ２２マイクロファラッド
Ｃ３、Ｃ４  ３９２マイクロファラッド
Ｃ５        １ファラッド、５．５  ボルト
Ｑ１、Ｑ２  ９０１４Ｃ
Ｂ１        １Ｎ４００１
Ｂ２        １Ｎ４００４
ＩＬＬｕｍ．ＬＥＤ  ＮＳＰＷ５００Ｂｓ
【００７４】
本発明は、白熱電球或いはバッテリを必要としない懐中電灯に関して記述された一方で、迅速な非常灯使用を可能とし特に密閉され電力が手動で供給される特別の構造であって、そこに含まれている原理は、他の道具、装置、プロセスおよび密閉された構造、防水加工、及び水中照明に適用可能である構造を提供することができる。
【００７５】
本発明は、その特別の実例となる実施形態に関して導き出されたが、発明の多くの変更および修正が、発明の精神および範囲から外れることなく、当業者に明白になる。したがって、技術へのこの貢献の範囲内で合理的かつ適切に含まれるような変更および修正は、すべてここにおいて保証された特許内に含まれる。
【図面の簡単な説明】
【００７６】
【図１】本発明の誘導電流懐中電灯の側面図である。
【図２】前方を向いている図１の誘導電流懐中電灯の斜視図である。
【図３】図１及び図２に示される誘導電流懐中電灯の正面図である。
【図４Ａ】図２の４Ａの線に沿った部分拡大図である。
【図４Ｂ】図２の４Ａの線に沿った部分拡大図である。
【図５】磁力の移動からケーシングが起こるのを防ぐために側面のつまみダンパーを利用する更なる実施形態の分解図である。
【図６】スライドする磁石の影響を緩和するために用いられる単一ボディ湾曲つまみダンパーの斜視図である。
【図７】図６のダンパーの側面図である。
【図８】懐中電灯及びその磁石の構成要素と関連するフィールド充電器のブロック図を示す。
【図９】懐中電灯及び追加的な誘導コイルの構成要素との関連して示される別の充電器のブロック図を示す。
【図１０】懐中電灯及び組み込まれているAC壁プラグの構成要素と関連した別の充電器のブロック図を示す。
【図１１】図１０に示される懐中電灯のハウジングの一部分の正面図を示し、保存された位置にある折り畳みプラグ・ブレードを示す。
【図１２】図８に示される充電器及び本発明の懐中電灯の両方の回路のより詳細な概略回路図である。
【符号の説明】
【００７７】
１１        懐中電灯
１３        メインハウジング・チャンバー
１５        フロントキャップ
１７        境界線
１９        突出ラグ
２１        孔
２５        上平面部
２７        下平面部
２９        拡張部
３１        スイッチ部品
３３        サドル
３５        スライド部材
３９        窪み
４１        端面
４３        斜面
４５        柱面
４７        レンズ
４９        スライド・スペース
５１        内壁面
５５        突起
５７        突起
５９        磁石ワイヤー及び磁石支持枠
６１        磁石移動支持枠
６３        磁石ワイヤー
６５        磁石
６７        溝
６９        ランド
７３        ランド
７５        スクリュー
７７        スプリングリテーナー
７９        後部スプリング
８１        内部表面
８３        ダンパー
８５        拡張突起部
８７        中央開口部
８９        端壁
９１        フロントスプリング
９５        ウェブ部
９７        支持部
１０１      ゴールド・コンデンサー
１０３      壁
１０５      仕切板
１０７      リードスイッチ・ブラケット
１０９      テープ
１１５      小さい磁石
１１７      外部窪み
１２１      支持部
１２３      リフレクタ・ハウジング
１２５      発光ダイオード
１２６      回路
１２７      リフレクタ材料
１３１      溝
１３５      「Ｏ」リング
１３７      接合部
１３９      内部柱状部材
１４１      接合スペース
１４３      ネジ山の外側セット
１４５      ネジ山の内側セット
１４７      裏面
１５１      ダンパー
１５５      システム
１５７      適合スペース
１５９      開口部
１６１      アンカ
１６３      ネジ
１６５      裸線
１６７      ネジ
１６９      ランド
１７１      円錐面
１７３      ベース面
１７５      アンカ
１７７      ベース
１８１      側壁
１８３      側壁
１８５      湾曲部
１８９      縁部部材
２０１      電源入力
２０３      充電器エレクトロニクス
２０５      充電コイル
２１１      整流器
２１３      平均電圧保護
２１５      電荷保存コンデンサー
２１９      リードスイッチ
２２１      白色発光ダイオード
２２３      静電気保護
２２５      スライドつまみ
２５１      充電ハウジング
２５５      電磁石ブロック
２５６      リードスイッチ
２５７      継電器
２６１      充電器エレクトロニクス
２６３      電源入力
２６５      充電発光ダイオード
２７５      ＡＣ電源プラグ
３０１      充電回路
３０３      プラグ
【図１】
2006100283.tif 000003
【図２】
2006100283.tif 000004
【図３】
2006100283.tif 000005
【図４Ａ】
2006100283.tif 000006
【図４Ｂ】
2006100283.tif 000007
【図５】
2006100283.tif 000008
【図６】
2006100283.tif 000009
【図７】
2006100283.tif 000010
【図８】
2006100283.tif 000011
【図９】
2006100283.tif 000012
【図１０】
2006100283.tif 000013
【図１１】
2006100283.tif 000014
【図１２】
2006100283.tif 000015